(57)【要約】【課題】EDLCを用いたパワーアシスト機能を有する電源装置のコストダウンを図る。【解決手段】本発明による電源装置は、主電源(110)と、EDLCモジュール(140)による補助電源とを備えるハイブリッド電源装置であって、第１のモード(S1)と第２のモード(S2)とを有し、前記第１のモード(S1)のとき、前記主電源(110)と前記EDLCモジュール(140)とを直列に接続して前記EDLCモジュール(140)を放電させることにより負荷(160)への供給電圧(ＶＩＮ)を上昇させ、前記第２のモード(S2)のとき、前記主電源(110)に対して前記EDLCモジュール(140)を前記第１のモード(S1)とは逆極性で直列に接続して前記負荷(160)への供給電圧(ＶＩＮ)を下げるとともに前記EDLCモジュール(140)を充電することを特徴とする。【選択図】図１
2009207328.tif 000002
【特許請求の範囲】
【請求項１】
主電源(110)と、電気二重層キャパシタ(EDLC：Electric Double Layer Capacitor)モジュール(140)による補助電源とを備えるハイブリッド電源装置であって、
第１のモード(S1)と第２のモード(S2)とを有し、
前記第１のモード(S1)のとき、
前記主電源(110)と前記EDLCモジュール(140)とを直列に接続して前記EDLCモジュール(140)を放電させることにより負荷(160)への供給電圧(ＶＩＮ)を上昇させ、
前記第２のモード(S2)のとき、
前記主電源(110)に対して前記EDLCモジュール(140)を前記第１のモード(S1)とは逆極性で直列に接続して前記負荷(160)への供給電圧(ＶＩＮ)を下げるとともに前記EDLCモジュール(140)を充電する、
ことを特徴とする電源装置。
【請求項２】
請求項１において、
前記主電源(110)は、第１のノード(N1)と第２のノード(N2)との間に電圧(ＶＥ)を供給し、
前記EDLCモジュール(140)は、第３のノード(N3a,N3b)と第４のノード(N4a,N4b)との間に設けられ、
前記電源装置は、切り替え手段(130,150)をさらに備え、
前記切り替え手段(130,150)は、
前記第１のモード(S1)のとき、前記第２のノード(N2)と前記第３のノード(N3a)とを接続しかつ前記第４のノード(N4b)と前記第５のノード(N5)とを接続し、
前記第２のモード(S2)のとき、前記第２のノード(N2)と前記第４のノード(N4a)を接続しかつ前記第３のノード(N3b)と前記第５のノード(N5)とを接続し、
前記電源装置は、
前記第１のノード(N1)と前記第５のノード(N5)との間の電圧(ＶＩＮ)を前記負荷に供給する、
ことを特徴とする電源装置。
【請求項３】
請求項１または２において、
前記負荷(160)が軽負荷状態であり前記負荷(160)への供給電圧(ＶＩＮ)を下げられるときに前記第２のモード(S2)へ移行する、
ことを特徴とする電源装置。
【請求項４】
請求項１において、
前記電源装置は第３のモード(S3)をさらに有し、
前記第３のモード(S3)のとき、
前記EDLCモジュール(140)を前記負荷(160)への電圧供給経路に挿入せずに前記主電源(110,120)のみにより前記負荷(160)へ電圧(ＶＩＮ)を供給する、
ことを特徴とする電源装置。
【請求項５】
請求項２において、
前記電源装置は第３のモード(S3)をさらに有し、
前記切り替え手段(130,150)は、
前記第３のモード(S3)のとき、
前記第３のノード(N3a,N3b)と前記第４のノード(N4a,N4b)のいずれか一方を介して前記第２のノード(N2)と前記第５のノード(N5)とを接続する、または、前記第３のノード(N3a,N3b)と前記第４のノード(N4a,N4b)のいずれも介さずに前記第２のノード(N2)と前記第５のノード(N5)とを接続する、
ことを特徴とする電源装置。
【請求項６】
請求項１〜６のいずれか１つにおいて、
前記負荷(160)はインバータである、
ことを特徴とする電源装置。
【請求項７】
交流電圧を直流電圧(ＶＥ)に変換して出力するコンバータ(110)と、
電気二重層キャパシタ(EDLC：Electric Double Layer Capacitor)モジュール(140)と、
入力される直流電圧を交流電圧に変換して出力するインバータ(160)と、
前記インバータ(160)の入力に直流電圧(ＶＩＮ)を供給する電圧供給手段(130,150)とを備え、
前記電圧供給手段(130,150)は、
第１のモード(S1)のとき、前記コンバータ(110)の出力と前記EDLCモジュール(140)とを直列に接続して前記EDLCモジュール(140)を放電させることにより前記インバータ(160)への供給電圧(ＶＩＮ)を上昇させ、
第２のモード(S2)のとき、前記コンバータ(110)の出力に対して前記EDLCモジュール(140)を前記第１のモード(S1)とは逆極性で直列に接続して前記インバータ(160)への供給電圧(ＶＩＮ)を下げるとともに前記EDLCモジュール(140)を充電する、
ことを特徴とする電力変換装置。
【請求項８】
請求項７において、
前記コンバータ(110)は、第１のノード(N1)と第２のノード(N2)との間に前記直流電圧(ＶＥ)を供給し、
前記EDLCモジュール(140)は、第３のノード(N3a,N3b)と第４のノード(N4a,N4b)との間に設けられ、
前記電圧供給手段(130,150)は、
前記第１のモード(S1)のとき、前記第２のノード(N2)と前記第３のノード(N3a)とを接続しかつ前記第４のノード(N4b)と前記第５のノード(N5)とを接続し、
前記第２のモード(S2)のとき、前記第２のノード(N2)と前記第４のノード(N4a)を接続しかつ前記第３のノード(N3b)と前記第５のノード(N5)とを接続し、
前記第１のノード(N1)と前記第５のノード(N5)との間の電圧(ＶＩＮ)を前記インバータ(160)に供給する、
ことを特徴とする電力変換装置。
【請求項９】
請求項７または８において、
前記インバータ(160)が軽負荷状態であり前記インバータ(160)への入力電圧(ＶＩＮ)を下げられるときに前記第２のモード(S2)へ移行する、
ことを特徴とする電力変換装置。
【請求項１０】
請求項７において、
前記電圧供給手段(130,150)は、
第３のモード(S3)のとき、前記EDLCモジュール(140)を前記インバータ(160)への電圧供給経路に挿入せずに前記コンバータ(110)のみにより前記インバータ(160)へ電圧(ＶＩＮ)を供給する、
ことを特徴とする電力変換装置。
【請求項１１】
請求項８において、
前記電圧供給手段(130,150)は、
前記第３のモード(S3)のとき、
前記第３のノード(N3a,N3b)と前記第４のノード(N4a,N4b)のいずれか一方を介して前記第２のノード(N2)と前記第５のノード(N5)とを接続する、または、前記第３のノード(N3a,N3b)と前記第４のノード(N4a,N4b)のいずれも介さずに前記第２のノード(N2)と前記第５のノード(N5)とを接続する、
ことを特徴とする電力変換装置。
【請求項１２】
請求項７〜１１のいずれか１つにおいて、
前記インバータ(160)は、
空気調和機の冷媒回路に設けられる圧縮機を駆動するためのモータ(20)に前記交流電圧を供給する、
ことを特徴とする電力変換装置。
【請求項１３】
請求項１２に記載の電力変換装置(100)を備える、
ことを特徴とする空気調和機。
【発明の詳細な説明】
【技術分野】
【０００１】
本発明は、主電源と、電気二重層キャパシタ(EDLC：Electric Double Layer Capacitor)モジュールによる補助電源とを有するハイブリッド電源装置に関する。
【背景技術】
【０００２】
モータを可変速駆動するための汎用インバータは、近年、省エネ性と制御性が大きく向上し、幅広い用途で大量に使われている。
【０００３】
商用電源を電力源とする汎用インバータでは、AC→DC変換によって電源ラインを直流化(DCリンク)し、これをIGBT等の半導体素子によってスイッチング制御してPWM波形を生成し、負荷となるモータを正弦波駆動する。この場合、インバータの入力電圧(VIN)は商用電源の電源電圧(VE)で規定され、たとえば商用電源がAC200VではVINはDC280Vとなる。
【０００４】
また、インバータの最大入力電流は、負荷となるモータの仕様と商用電源の受電容量およびインバータを構成するパワーデバイスの仕様によって決まるが、商用電源の受電容量(許容電流)によって必ず最大供給電力が規定されるので、インバータの最大出力も商用電源の受電容量で成約を受けることがほとんどである。
【０００５】
インバータは、負荷に見合った電力を負荷に供給するために可変速運転あるいは電圧制御を行うが、最大出力は受電容量で規定されてしまうため一般的には受電容量以上の電力を負荷に供給することができない。たとえばインバータ空調機の場合、インバータによって軽負荷運転での制御性や省エネ性は大きく向上したが、立ち上がりを早めるためにサブヒータ駆動や圧縮機の(定格以上の)高出力運転をしたくても、受電容量の制限でこれらパワーアシスト運転は従来は不可能であった。
【０００６】
近年、蓄電デバイスの性能向上(エネルギー密度，出力密度の向上)と低価格化が進み、多くの用途で実用化も進んでいる。蓄電デバイスは大きく分けてエネルギー型の二次電池とパワー型のコンデンサ(電気二重層キャパシタ：EDLC)があり、それぞれの特長を活かした用途で実用化が進みつつある。
【０００７】
二次電池は、EDLCに比較してエネルギー密度が高く、商用電源のないところでエネルギー源として使うには好適であるが、長期にわたって安定に動作させるためにはきめ細かい充放電制御が必須で、このためのハードウェア，ソフトウェアの負担が非常に大きい。
【０００８】
一方、EDLCは、短時間に大出力を取り出すことが可能であるが、エネルギー密度が小さく、また、蓄電量に対して電圧が変動するためインバータなどの電力源としては使いづらいという問題がある。
【０００９】
蓄電デバイスを使ったパワーアシストの実用化例として複写機への適用がある(特許文献１参照)。受電容量の制限で定着ドラム加熱用ヒータへの入力電力の上限が規定されていたが、EDLCからのパワーアシストで大きな電力をヒータに投入することができ、短時間立ち上げを実現している。また、短時間に大出力放電が必要な点と長寿命化の点から、二次電池ではなくEDLCが蓄電デバイスとして採用されている。負荷がヒータのような抵抗負荷の場合、負荷をインバータ駆動する必要がないのでEDLCを用いても比較的シンプルな回路と制御で実現が可能である。
【特許文献１】特開2000-315567号公報
【特許文献２】特開2003-143713号公報
【発明の開示】
【発明が解決しようとする課題】
【００１０】
蓄電デバイスを使って上記複写機のようなパワーアシスト機能を汎用インバータや空調用インバータ等の電力変換装置に適用することができる。EDLCによるパワーアシスト付き電力変換装置のシステムブロック図を図６に示す。インバータ(160)をパワーアシストするには、インバータ(160)の入力電圧(ＶＩＮ)を上げるのが最も好適な手段である。図６に示す電力変換装置(200)では、切り替えスイッチ(220)によりノード(N20)とノード(N21)とを接続することにより、EDLCの直列接続モジュール(140)(電圧ＶＣ)が商用電源(10)からの電圧源(ＶＥ)に直列接続されることになる。その結果、ＶＩＮ＝ＶＥ＋ＶＣとなり、EDLCモジュール(140)の電圧(ＶＣ)分だけインバータ(160)の入力電圧(ＶＩＮ)を上昇させることができ、これによって負荷をパワーアシストすることができる。
【００１１】
しかしながら蓄電デバイスは、一旦放電して蓄電されたエネルギーを使い切ってしまうと、何らかの形で充電をしないと次のパワーアシストを行うことができない。図６ではEDLCモジュール(140)の充電回路(210)をブロックとして図示しているが、具体的に充電回路(210)を構成するには商用電源(10)をAC→DC変換する必要があり、さらに、EDLCモジュール(140)の充電条件に見合った電圧源と充電制御回路が必要となるため、充電のためのハードウェアが大規模なものになり、装置サイズ，コストとも大きく上昇してしまう。
【課題を解決するための手段】
【００１２】
本発明による電源装置は、主電源(110)と、電気二重層キャパシタ(EDLC：Electric Double Layer Capacitor)モジュール(140)による補助電源とを備えるハイブリッド電源装置であって、第１のモード(S1)と第２のモード(S2)とを有し、前記第１のモード(S1)のとき、前記主電源(110)と前記EDLCモジュール(140)とを直列に接続して前記EDLCモジュール(140)を放電させることにより負荷(160)への供給電圧(ＶＩＮ)を上昇させ、前記第２のモード(S2)のとき、前記主電源(110)に対して前記EDLCモジュール(140)を前記第１のモード(S1)とは逆極性で直列に接続して前記負荷(160)への供給電圧(ＶＩＮ)を下げるとともに前記EDLCモジュール(140)を充電する、ことを特徴とする。
【００１３】
また、前記主電源(110)は、第１のノード(N1)と第２のノード(N2)との間に電圧(ＶＥ)を供給し、前記EDLCモジュール(140)は、第３のノード(N3a,N3b)と第４のノード(N4a,N4b)との間に設けられ、前記電源装置は、切り替え手段(130,150)をさらに備え、前記切り替え手段(130,150)は、前記第１のモード(S1)のとき、前記第２のノード(N2)と前記第３のノード(N3a)とを接続しかつ前記第４のノード(N4b)と前記第５のノード(N5)とを接続し、前記第２のモード(S2)のとき、前記第２のノード(N2)と前記第４のノード(N4a)を接続しかつ前記第３のノード(N3b)と前記第５のノード(N5)とを接続し、前記電源装置は、前記第１のノード(N1)と前記第５のノード(N5)との間の電圧(ＶＩＮ)を前記負荷に供給する、ことを特徴とする。
【００１４】
また、前記負荷(160)が軽負荷状態であり前記負荷(160)への供給電圧(ＶＩＮ)を下げられるときに前記第２のモード(S2)へ移行する、ことを特徴とする。
【００１５】
また、前記電源装置は第３のモード(S3)をさらに有し、前記第３のモード(S3)のとき、前記EDLCモジュール(140)を前記負荷(160)への電圧供給経路に挿入せずに前記主電源(110,120)のみにより前記負荷(160)へ電圧(ＶＩＮ)を供給する、ことを特徴とする。
【００１６】
また、前記電源装置は第３のモード(S3)をさらに有し、前記切り替え手段(130,150)は、前記第３のモード(S3)のとき、前記第３のノード(N3a,N3b)と前記第４のノード(N4a,N4b)のいずれか一方を介して前記第２のノード(N2)と前記第５のノード(N5)とを接続する、または、前記第３のノード(N3a,N3b)と前記第４のノード(N4a,N4b)のいずれも介さずに前記第２のノード(N2)と前記第５のノード(N5)とを接続する、ことを特徴とする。
【００１７】
また、前記負荷(160)はインバータである、ことを特徴とする。
【００１８】
本発明による電力変換装置(100)は、交流電圧を直流電圧(ＶＥ)に変換して出力するコンバータ(110)と、電気二重層キャパシタ(EDLC：Electric Double Layer Capacitor)モジュール(140)と、入力される直流電圧を交流電圧に変換して出力するインバータ(160)と、前記インバータ(160)の入力に直流電圧(ＶＩＮ)を供給する電圧供給手段(130,150)とを備え、前記電圧供給手段(130,150)は、第１のモード(S1)のとき、前記コンバータ(110)の出力と前記EDLCモジュール(140)とを直列に接続して前記EDLCモジュール(140)を放電させることにより前記インバータ(160)への供給電圧(ＶＩＮ)を上昇させ、第２のモード(S2)のとき、前記コンバータ(110)の出力に対して前記EDLCモジュール(140)を前記第１のモード(S1)とは逆極性で直列に接続して前記インバータ(160)への供給電圧(ＶＩＮ)を下げるとともに前記EDLCモジュール(140)を充電する、ことを特徴とする。
【００１９】
また、前記コンバータ(110)は、第１のノード(N1)と第２のノード(N2)との間に前記直流電圧(ＶＥ)を供給し、前記EDLCモジュール(140)は、第３のノード(N3a,N3b)と第４のノード(N4a,N4b)との間に設けられ、前記電圧供給手段(130,150)は、前記第１のモード(S1)のとき、前記第２のノード(N2)と前記第３のノード(N3a)とを接続しかつ前記第４のノード(N4b)と前記第５のノード(N5)とを接続し、前記第２のモード(S2)のとき、前記第２のノード(N2)と前記第４のノード(N4a)を接続しかつ前記第３のノード(N3b)と前記第５のノード(N5)とを接続し、前記第１のノード(N1)と前記第５のノード(N5)との間の電圧(ＶＩＮ)を前記インバータ(160)に供給する、ことを特徴とする。
【００２０】
また、前記インバータ(160)が軽負荷状態であり前記インバータ(160)への入力電圧(ＶＩＮ)を下げられるときに前記第２のモード(S2)へ移行する、ことを特徴とする。
【００２１】
また、前記電圧供給手段(130,150)は、第３のモード(S3)のとき、前記EDLCモジュール(140)を前記インバータ(160)への電圧供給経路に挿入せずに前記コンバータ(110)のみにより前記インバータ(160)へ電圧(ＶＩＮ)を供給する、ことを特徴とする。
【００２２】
また、前記電圧供給手段(130,150)は、前記第３のモード(S3)のとき、前記第３のノード(N3a,N3b)と前記第４のノード(N4a,N4b)のいずれか一方を介して前記第２のノード(N2)と前記第５のノード(N5)とを接続する、または、前記第３のノード(N3a,N3b)と前記第４のノード(N4a,N4b)のいずれも介さずに前記第２のノード(N2)と前記第５のノード(N5)とを接続する、ことを特徴とする。
【００２３】
また、前記インバータ(160)は、空気調和機の冷媒回路に設けられる圧縮機を駆動するためのモータ(20)に前記交流電圧を供給する、ことを特徴とする。
【００２４】
本発明による空気調和機は、上記の電力変換装置(100)を備える、ことを特徴とする。
【発明の効果】
【００２５】
本発明では、第１のモード(S1)のとき、主電源(110)とEDLCモジュール(140)とを直列に接続してEDLCモジュール(140)を放電させることにより負荷(160)への供給電圧(ＶＩＮ)を上昇させてパワーアシストを行う。一方、第２のモード(S2)のときは、主電源(110)に対してEDLCモジュール(140)を第１のモード(S1)とは逆極性で直列に接続して負荷(160)への供給電圧(ＶＩＮ)を下げるとともにEDLCモジュール(140)を充電する。したがって、EDLCモジュール(140)を充電するための専用の充電回路(図６の210)が必要なくなり、大幅なコストダウンが図れる。
【発明を実施するための最良の形態】
【００２６】
以下、本発明の実施形態を図面に基づいて詳細に説明する。なお、図面において実質的に同一の構成要素には同じ参照符号を付けている。また、以下の好ましい実施形態の説明は、本質的に例示に過ぎず、本発明、その適用物或いはその用途を制限することを意図するものではない。
【００２７】
本発明の実施形態による電力変換装置の構成を図１に示す。この電力変換装置(100)は、商用電源等の交流電源(10)をコンバータ回路(110)によって整流し、その直流をインバータ回路(160)によって交流に変換してモータ(20)に供給するものである。この電力変換装置(100)は、たとえば空気調和機に搭載される。この場合、モータ(20)は、空気調和機の冷媒回路に設けられる圧縮機を駆動するものである。
【００２８】
電力変換装置(100)は、コンバータ回路(110)と、平滑用コンデンサ(120)と、切り替えスイッチ(130,150)と、EDLCモジュール(140)と、インバータ回路(160)と、モード制御部(170)とを備えている。
【００２９】
コンバータ回路(110)は、交流電源(10)からの交流電圧を直流電圧(ＶＥ)に変換してノード(N1)とノード(N2)との間に出力する。平滑用コンデンサ(120)は、ノード(N1)とノード(N2)との間に設けられている。
【００３０】
切り替えスイッチ(130)は、モード制御部(170)からのモード信号(S1,S2,S3)に応じてノード(N2)の接続先をノード(N3a)またはノード(N4a)に切り替える。切り替えスイッチ(150)は、モード制御部(170)からのモード信号(S1,S2,S3)に応じてノード(N5)の接続先をノード(N3b)またはノード(N4b)に切り替える。
【００３１】
EDLCモジュール(140)は、複数のEDLCセルが直列接続された蓄電モジュールである。EDLCモジュール(140)の一端はノード(N4a,N4b)に接続され、他端はノード(N3a,N3b)に接続されている。
【００３２】
モード制御部(170)は、モード信号(S1,S2,S3)を切り替えスイッチ(130,150)に与える。ここでモード信号(S1)は「パワーアシストモード」を示す信号である。モード信号(S2)は「充電モード」を示す信号である。モード信号(S3)は「バイパスモード」を示す信号である。
【００３３】
インバータ回路(160)は、ノード(N1)とノード(N5)との間の電圧(ＶＩＮ)を入力とし、この入力電圧(ＶＩＮ)を交流に変換してモータ(20)に供給する。
【００３４】
次に、以上のように構成された電力変換装置(100)の動作について説明する。なお、ここでは電力変換装置(100)を空気調和機に搭載した場合を例に挙げて説明する。
【００３５】
空気調和機の立ち上がりを早めるためにサブヒータ駆動や圧縮機の(定格以上の)高出力運転を行う場合、電力変換装置(100)はパワーアシストモードに切り替わる。以下、図２を参照して説明する。パワーアシストモードに切り替わると、モード制御部(170)はモード信号(S1)を切り替えスイッチ(130,150)に出力する。なお、モード信号(S1)を出力する前にモード制御部(170)において、EDLCモジュール(140)の端子電圧(ＶＣ)が所定レベルに達しているか(十分に充電されているか)を判定し、達している場合にのみモード信号(S1)を出力するようにしてもよい。
【００３６】
モード制御部(170)からのモード信号(S1)に応答して切り替えスイッチ(130)は、ノード(N2)とノード(N3a)とを接続する。また、モード制御部(170)からのモード信号(S1)に応答して切り替えスイッチ(150)は、ノード(N5)とノード(N4b)とを接続する。
【００３７】
これにより、インバータ回路(160)の入力電圧(ＶＩＮ)は、ＶＩＮ＝ＶＥ＋ＶＣとなる。このように、EDLCモジュール(140)の端子電圧(ＶＣ)分だけインバータ回路(160)の入力電圧(ＶＩＮ)を上昇させてパワーアシストを行う。
【００３８】
インバータ回路(160)の負荷が軽いとき(インバータ回路(160)の出力が低出力・低速状態のとき)には、定格電圧をインバータ回路(160)に印加する必要がなく、インバータ回路(160)の入力電圧(ＶＩＮ)を下げても制御に支障はない。このような場合、電力変換装置(100)は充電モードに切り替わる。以下、図３を参照して説明する。充電モードに切り替わると、モード制御部(170)はモード信号(S2)を切り替えスイッチ(130,150)に出力する。
【００３９】
モード制御部(170)からのモード信号(S2)に応答して切り替えスイッチ(130)は、ノード(N2)とノード(N4a)とを接続する。また、モード制御部(170)からのモード信号(S2)に応答して切り替えスイッチ(150)は、ノード(N5)とノード(N3b)とを接続する。
【００４０】
これにより、インバータ回路(160)の入力電圧(ＶＩＮ)は、ＶＩＮ＝ＶＥ−ＶＣとなる。このように、EDLCモジュール(140)の端子電圧(ＶＣ)分だけインバータ回路(160)の入力電圧(ＶＩＮ)を下げるとともにEDLCモジュール(140)の充電を行う。EDLCモジュール(140)の充電電流について特別な配慮は必要なく、インバータ回路(160)側の負荷電流に応じた成り行きでよいため、インバータ回路(160)の制御には支障は生じない。
【００４１】
以上のように本実施形態によれば、EDLCモジュール(140)を充電するための専用の充電回路(図６の210)が必要なくなり、大きなコストダウンが図れる。
【００４２】
EDLCモジュール(140)の充電状態は、EDLCモジュール(140)の端子電圧(ＶＣ)によって正確に把握できる。モード制御部(170)は、EDLCモジュール(140)の端子電圧(ＶＣ)を参照して充電完了を検出する。充電完了後、電力変換装置(100)はバイパスモードに切り替わり、次のパワーアシストに備えてEDLCモジュール(140)を待機させる。以下、図４を参照して説明する。
【００４３】
EDLCモジュール(140)の充電完了を検出するとモード制御部(170)はモード信号(S3)を切り替えスイッチ(130,150)に出力する。
【００４４】
モード制御部(170)からのモード信号(S3)に応答して切り替えスイッチ(130)は、ノード(N2)とノード(N3a)とを接続する。また、モード制御部(170)からのモード信号(S3)に応答して切り替えスイッチ(150)は、ノード(N5)とノード(N3b)とを接続する。
【００４５】
これにより、EDLCモジュール(140)はインバータ回路(160)への電圧供給経路から電気的に切り離され、インバータ回路(160)の入力電圧(ＶＩＮ)は、ＶＩＮ＝ＶＥとなる。
【００４６】
なお、モード制御部(170)からのモード信号(S3)に応答して、ノード(N2)とノード(N4a)とを接続し、ノード(N5)とノード(N4b)とを接続するように切り替えスイッチ(130,150)を制御してもよい。
【００４７】
また、図５に示すように、モード制御部(170)からのモード信号(S3)に応答して、ノード(N2)とノード(N6)とを接続し、ノード(N5)とノード(N7)とを接続するように切り替えスイッチ(130,150)を制御し、EDLCモジュール(140)の両端をインバータ回路(160)への電圧供給経路から電気的に切り離すようにしてもよい。
【産業上の利用可能性】
【００４８】
以上のように本発明によれば、EDLCモジュール(140)を充電するための専用の充電回路(図６の210)が必要なくなるため、EDLCモジュール(140)を用いたパワーアシスト機能を汎用インバータや空調用インバータ等の電力変換装置に低コストで適用することができる。
【図面の簡単な説明】
【００４９】
【図１】本発明の実施形態による電力変換装置の全体構成を示す図である。
【図２】図１に示した電力変換装置のパワーアシストモード時における動作を説明するための図である。
【図３】図１に示した電力変換装置の充電モード時における動作を説明するための図である。
【図４】図１に示した電力変換装置のバイパスモード時における動作を説明するための図である。
【図５】図１に示した電力変換装置のバイパスモード時における動作を説明するための図である。
【図６】EDLCを用いたパワーアシスト機能を有する従来の電力変換装置の構成を示す図である。
【符号の説明】
【００５０】
10…交流電源
20…モータ
100…電力変換装置
110…コンバータ回路
120…平滑用コンデンサ
130,150…切り替えスイッチ
140…EDLCモジュール
160…インバータ回路
170…モード制御部
【図１】
2009207328.tif 000003
【図２】
2009207328.tif 000004
【図３】
2009207328.tif 000005
【図４】
2009207328.tif 000006
【図５】
2009207328.tif 000007
【図６】
2009207328.tif 000008